(57)【要約】【課題】様々なデータ配信サービスに対応すること。【解決手段】配信サービス機関から受信した配信データの記憶と消去が可能な着脱可能な記憶媒体１１１と、配信データを記憶部１１３に格納した処理プログラムによって処理する配信データ処理部１１０と、配信データの再生、実行及び選択的削除を行う配信データ実行部１１２と、を備える。【選択図】　図１
2004021714.tif 000002
【特許請求の範囲】
【請求項１】
配信サービス機関から受信した配信データの記憶と消去が可能な着脱可能な記憶媒体と、
前記配信データを記憶部に格納した処理プログラムによって処理する配信データ処理部と、
前記配信データの再生、実行及び選択的削除を行う配信データ実行部と、
を備えたことを特徴とするデータ配信端末。
【請求項２】
前記記憶媒体の着脱中に、前記記憶媒体へのアクセスを禁止する保護手段を備えたことを特徴とする請求項１記載のデータ配信端末。
【請求項３】
前記記憶部に保持される端末使用者を特定するユーザー情報、端末構成、性能を特定するハードウェア情報、前記処理プログラムを特定するソフトウェア情報及び前記記憶媒体の容量を特定するメモリ情報を含む識別情報を、前記配信データが配信される前に前記配信サービス機関に送信する送信部を備えることを特徴とする請求項１又は２記載のデータ配信端末。
【請求項４】
前記記憶部に保持される端末使用者を特定するユーザー情報及び前記配信サービス機関に予め登録されている配信サービス機関、配信サービス内容を特定する配信サービス利用情報を含む識別情報を、前記配信データとともに外部装置に送信する送信部を備えることを特徴とする請求項１又は２記載のデータ配信端末。
【請求項５】
前記記憶部に保持される前記配信サービス機関が提供する配信サービスの設定内容を含む配信サービス設定情報を、前記配信データの受信中に前記配信サービス機関に送信する送信部を備えることを特徴とする請求項１又は２記載のデータ配信端末。
【請求項６】
前記配信サービス機関の広告を含む広告情報を前記配信データの受信開始から前記記憶媒体への記憶終了まで表示する表示部を備えることを特徴とする請求項１から５のいずれか１項記載のデータ配信端末。
【請求項７】
前記配信データの自動受信を行うための配信サービス予約情報に設定されている受信日時を計時する計時部を備えることを特徴とする請求項１から６のいずれか１項記載のデータ配信端末。
【請求項８】
前記配信データの自動受信を行うための遠隔指示情報に設定されている認証番号と外部装置から受信した認証番号との一致比較を検知する検知部を備えることを特徴とする請求項１から６のいずれか１項記載のデータ配信端末。
【請求項９】
前記記憶媒体に記憶した不要な配信データを削除する削除工程と、不要な配信データの削除により得られた空き領域を優先して新たな配信データを記憶する記憶工程と、を実行するデータ管理部を備えることを特徴とする請求項１から８のいずれか１項記載のデータ配信端末。
【請求項１０】
前記削除工程は、実行後に不要となる配信データの削除命令及び該配信データが記憶される前記記憶媒体の記憶領域が付加された配信データを実行することを特徴とする請求項９記載のデータ配信端末。
【請求項１１】
前記削除工程は、実行後に不要となる配信データの削除命令及び該配信データが記憶される前記記憶媒体の記憶領域が付加された配信データを要求に応じて取得し実行することを特徴とする請求項９記載のデータ配信端末。
【請求項１２】
前記配信データ処理部は、前記記憶部に記憶された処理プログラムにより前記記憶媒体に記憶された前記配信データを実行できない場合に、前記配信データを処理可能な処理プログラムを前記配信サービス機関から取得し実行することを特徴とする請求項１から１１のいずれか１項記載のデータ配信端末。
【請求項１３】
振動部と、前記配信データの再生レベルに応じて前記振動部の振動を制御する振動制御部と、を備えることを特徴とする請求項１から１２記載のデータ配信端末。
【請求項１４】
配信サービス機関と複数のデータ配信端末とを通信回線を介して接続し、前記データ配信端末からの要求に応じて対応するデータ配信端末に配信データ及び／又は該配信データを処理する処理プログラムを配信するデータ配信システムであって、前記配信サービス機関は、
請求項３記載のデータ配信端末の記憶部が保持する識別情報を管理する情報管理部と、
前記データ配信端末からの要求を前記情報管理部が管理する識別情報を参照して解析する情報解析部と、
を備えることを特徴とするデータ配信システム。
【発明の詳細な説明】
【０００１】
【発明の属する技術分野】
本発明は、無線または有線の通信回線を使用するデータ配信端末及びデータ配信システムに関し、特に記憶媒体を有する通信端末、無線発信及び着信機能を有する携帯端末を含むデータ配信端末及び通信回線網を使用した配信サービスを行うデータ配信システムに関する。
【０００２】
【従来の技術】
従来、この種のデータ配信端末及びデータ配信システムとしては、図１５及び図１６に示すようなものがあった。図１５は従来の音楽配信端末の基本構成を示すブロック図、図１６は従来の音楽配信システムの基本構成を示すブロック図である。
【０００３】
図１５において、１５０１は無線周波数信号を送受信するアンテナ、１５０２は無線通信回線に適合させるデータ配信端末無線部、１５０３はデータ配信端末が具備する押下式、タッチ式又はジョグダイヤル式の番号入力キーと短縮ダイヤルキーと機能設定キーを含むキー入力部、１５０４は音楽配信端末が具備する電話番号や電話機の内蔵機能からのメッセージを表示したり、音楽配信データに含まれる曲目等を表示する表示部、１５０５は音楽配信端末の制御部、１５０６は音楽配信端末が具備する着信報知用の振動部、１５０７は音楽配信端末が具備するマイク、１５０８は音楽配信端末が具備する受話音や音楽再生音を出力するスピーカー、１５０９は音楽配信端末が具備するイヤホンマイクＩ／Ｆである。入力とはキー入力又はキー押下及び音声入力等を含む。また、１５１１は受信した音楽配信データを記憶する記憶媒体、１５１０は受信または記憶した音楽配信データの処理と記憶媒体のデータを管理する音楽配信データ処理部、１５１２は処理された音楽配信データを再生する音楽データ再生部を示す。
【０００４】
図１６において、１６０１は通常のアナログ回線、もしくはディジタル回線を含む通信回線網、１６０２は通信回線網１６０１に有線接続され、屋内もしくは屋外に設置されている音楽配信システムの公衆基地局、１６０３は音楽配信端末、１６０４は通信回線網１６０１に有線接続され、音楽配信サービスを利用者に提供する配信サービス機関、１６０５は配信サービス機関１６０４とサービス契約を結んでいる利用者の情報等を蓄積及び管理する情報管理部、１６０６は音楽データと付属する曲目等の文字情報から成る音楽配信データを蓄積している音楽データベースである。
【０００５】
次に、図１５を参照して、音楽配信端末の動作を説明する。特に、受信した音楽配信データを記憶媒体に記憶し、記憶した音楽配信データを処理して再生するに至るまでの機能を説明する。ユーザーが所望する音楽配信データを受信して記憶媒体１５１１に記憶する場合、音楽配信データ処理部１５１０は受信した音楽配信データに記憶用のハード的なディジタル処理を加えて記憶媒体１５１１に記憶させる。記憶した音楽配信データを再生する場合、キー入力部１５０３又はマイク１５０７からの入力により、音楽配信データ処理部１５１０が記憶媒体１５１１に記憶した再生対象の音楽配信データを読み出し、ハード的なディジタル処理により再生可能な状態に変換して、音楽配信データ再生部１５１２で再生する。また、記憶媒体１５１１に音楽配信データを記憶する場合、記憶媒体１５１１の記憶可能な空き領域に音楽配信データを記憶し、音楽配信データを消去する場合は、キー入力部１５０３からの入力によって音楽配信データの曲目等の情報を表示部１５０４に表示し、ユーザーが消去対象の音楽配信データを選択して消去する。
【０００６】
しかし、端末上で再生が可能なのは音楽配信データに含まれる音楽データと文字情報のみであり、ゲームや動画像等のプログラムを実行処理する機能は具備していない。また、記憶媒体１５１２に記憶した音楽配信データをユーザーが選択して消去する他には記憶媒体１５１２のデータ管理手段を備えていないため、記憶媒体１５１２の記憶残量が少なくなる毎にユーザーが記憶した音楽配信データを選択して消去する手間が発生する。
【０００７】
次に、図１６を参照して、音楽配信システムの動作を説明する。特に、配信サービス機関の機能について説明する。音楽配信端末１６０３のユーザーは公衆基地局経由１６０２で通信回線網１６０１上に接続されている配信サービス機関１６０４に対し、音楽配信サービスを受けるためのユーザー登録を行い、配信サービス機関１６０４は情報管理部１６０５にてユーザー登録情報を含めた利用者の識別情報を管理している。そして、音楽配信サービスの利用者が音楽配信データを取得する場合、ユーザー登録が完了している利用者は音楽配信端末１６０３から所望する音楽に関連した情報を配信サービス機関１６０４に対して指定し、その内容に応じて配信サービス機関１６０４は音楽データベース１６０６より指定された情報に相当する音楽配信データのみを音楽配信端末１６０３に送信する。また、音楽データベース１６０６に新たな音楽配信データが蓄積された場合、配信サービス機関１６０４は自動的に利用者の音楽配信端末１６０３に接続し、新規登録通知によって音楽データベースの更新を連絡する。
【０００８】
しかし、配信サービスとして扱うデータは音楽データと付属する曲目等の文字情報のみであり、動画像やプログラム等の配信サービスは実現できない構成となっている。
【０００９】
【発明が解決しようとする課題】
上記従来の音楽配信端末においては、配信サービス機関から配信される音楽データのみを考慮した機能及び構成となっており、動画像、プログラム等の大容量の配信データを実行する機能を備えていない。このため、記憶媒体の記憶領域を効率良く使用して大容量の配信データを扱うことができず、動画像、プログラム等の大容量のデータ配信サービスに対応できないという問題があった。
【００１０】
また、上記従来の音楽配信システムにおいては、音楽データのみの配信サービスを目的とするため、動画像やプログラム等を含む配信データを配信する場合、ユーザーの端末が備える機能に適した配信データを提供することが望まれる。
【００１１】
本発明は、上記従来の問題を解決するもので、様々なデータ配信サービスに対応するデータ配信端末及びデータ配信システムを提供することを目的とする。
【００１２】
【課題を解決するための手段】
本発明の請求項１に記載の発明は、配信サービス機関から受信した配信データの記憶と消去が可能な着脱可能な記憶媒体と、前記配信データを記憶部に格納した処理プログラムによって処理する配信データ処理部と、前記配信データの再生、実行及び選択的削除を行う配信データ実行部と、を備えることにとにより、音楽、画像、プログラム、文字等の様々な配信データを再生、実行するとともに、不要な配信データを選択的に削除することができるため、記憶媒体の記憶領域を効率良く使用して大容量の配信データを扱うことができ、音楽、画像、プログラム、文字等の様々なデータ配信サービスに対応することができる。
【００１３】
本発明の請求項２に記載の発明は、前記記憶媒体の着脱中に、前記記憶媒体へのアクセスを禁止する保護手段を備えたことにより、記憶媒体に記憶されている配信データを破壊することなく外部に持ち出すことができる。また、記憶媒体を交換することでユーザーは多くの配信データを扱うことができる。
【００１４】
本発明の請求項３に記載の発明は、前記記憶部に保持される端末使用者を特定するユーザー情報、端末構成、性能を特定するハードウェア情報、前記処理プログラムを特定するソフトウェア情報及び前記記憶媒体の容量を特定するメモリ情報を含む識別情報を、前記配信データが配信される前に前記配信サービス機関に送信する送信部を備えることにより、配信サービス機関が端末に適した配信データを特定することができる。また、配信サービス機関との間で端末に適した配信データの通信を行い、不要な配信データの通信を回避することで、通信回線占有率、通信コストを低減し、通信効率を上げることができる。
【００１５】
本発明の請求項４に記載の発明は、前記記憶部に保持される端末使用者を特定するユーザー情報及び前記配信サービス機関に予め登録されている配信サービス機関、配信サービス内容を特定する配信サービス利用情報を含む識別情報を、前記配信データとともに外部装置に送信する送信部を備えることにより、外部装置で識別情報に基づいた配信データの保護が可能となる。
【００１６】
本発明の請求項５に記載の発明は、前記記憶部に保持される前記配信サービス機関が提供する配信サービスの設定内容を含む配信サービス設定情報を、前記配信データの受信中に前記配信サービス機関に送信する送信部を備えることにより、配信サービス設定情報の送信に要する通信コストを抑えることができる。
【００１７】
本発明の請求項６に記載の発明は、前記配信サービス機関の広告を含む広告情報を前記配信データの受信開始から前記記憶媒体への記憶終了まで表示する表示部を備えることにより、ユーザーは配信データの受信中に配信サービス機関からの広告を知ることができる。
【００１８】
本発明の請求項７に記載の発明は、前記配信データの自動受信を行うための配信サービス予約情報に設定されている受信日時を計時する計時部を備えることにより、ユーザーが端末を操作できない場合でも予約した日時に配信データを取得することができる。
【００１９】
本発明の請求項８に記載の発明は、前記配信データの自動受信を行うための遠隔指示情報に設定されている認証番号と外部装置から受信した認証番号との一致比較を検知する検知部を備えることにより、ユーザーが端末を操作できない場合でも、他の外部装置からの遠隔操作により配信データを取得することができる。
【００２０】
本発明の請求項９に記載の発明は、前記記憶媒体に記憶した不要な配信データを削除する削除工程と、不要な配信データの削除により得られた空き領域を優先して新たな配信データを記憶する記憶工程と、を実行するデータ管理部を備えることにより、記憶媒体の記憶領域を効率良く使用することができる。
【００２１】
本発明の請求項１０に記載の発明は、前記削除工程は、実行後に不要となる配信データの削除命令及び該配信データが記憶される前記記憶媒体の記憶領域が付加された配信データを実行することにより、配信データの実行終了後に記憶媒体から配信データが削除されるため、記憶媒体の記憶領域を効率良く使用することができる。
【００２２】
本発明の請求項１１に記載の発明は、前記削除工程は、実行後に不要となる配信データの削除命令及び該配信データが記憶される前記記憶媒体の記憶領域が付加された配信データを要求に応じて取得し実行することにより、記憶媒体の空き容量に、実行終了後に削除する配信データの容量を加えた容量の配信データを記憶することができる。
【００２３】
本発明の請求項１２に記載の発明は、前記配信データ処理部は、前記記憶部に記憶された処理プログラムにより前記記憶媒体に記憶された前記配信データを実行できない場合に、前記配信データを処理可能な処理プログラムを前記配信サービス機関から取得し実行することにより、配信サービス機関が提供する様々な配信データをデータ配信端末で再生、実行することができる。
【００２４】
本発明の請求項１３に記載の発明は、振動部と、前記配信データの再生レベルに応じて前記振動部の振動を制御する振動制御部と、を備えることにより、ユーザーがデータ配信端末を介して音楽等の臨場感を体感することができる。
【００２５】
本発明の請求項１４に記載の発明は、配信サービス機関と複数のデータ配信端末とを通信回線を介して接続し、前記データ配信端末からの要求に応じて対応するデータ配信端末に配信データ及び／又は該配信データを処理する処理プログラムを配信するデータ配信システムであって、前記配信サービス機関は、請求項３記載のデータ配信端末の記憶部が保持する識別情報を管理する情報管理部と、前記データ配信端末からの要求を前記情報管理部が管理する識別情報を参照して解析する情報解析部と、を備えることにより、ユーザーのデータ配信端末が備える機能に適した配信サービスを提供することができる。
【００２６】
【発明の実施の形態】
以下、本発明の実施の形態を図面を参照して説明する。
（実施の形態１）
まず、図１を参照して、本発明の実施の形態１におけるデータ配信端末について説明する。図１は、本発明の実施の形態１におけるデータ配信端末の基本的構成を示すブロック図である。図１において、１０１は無線周波数信号を送受信するアンテナ、１０２は無線通信回線に適合させるデータ配信端末の無線部、１０３はデータ配信端末が具備する押下式、タッチ式又はジョグダイヤル式の番号入力キーと短縮ダイヤルキーと機能設定キーを含むキー入力部、１０４はデータ配信端末が具備する電話番号、電話機の応答メッセージ、画像、文字情報を表示する表示部、１０５は各配信サービスに対応するデータ配信端末の制御部、１０６はデータ配信端末が具備する着信報知用及び出力音圧レベルによって振動する体感用の振動部、１０７はデータ配信端末が具備するマイク、１０８はデータ配信端末が具備する受話音や再生音を出力するスピーカー、１０９はデータ配信端末が具備するステレオイヤホンマイク等を接続するイヤホンマイクＩ／Ｆである。
【００２７】
また、１１０は受信した配信データの処理及び記憶した配信データや各種の情報等を管理する配信データ処理部、１１１は配信データ処理部１１０で管理された配信データ等の記憶と消去が可能な不揮発性の記憶媒体、１１２は配信データ処理部１１１で処理された配信データを再生及び実行する配信データ実行部、１１３は配信データ処理部１１０で管理された配信データの処理プログラム及び識別情報等を記憶する記憶部である。
【００２８】
次に、本発明の実施の形態１におけるデータ配信端末の動作を説明する。キー入力部１０３又はマイク２０７からの入力により所望する配信サービス機関と無線接続し、アンテナ１０１と無線部１０２を経由して所望する配信データを受信する。制御部１０５では受信したアナログの配信データをディジタル化し、配信データ処理部１１０に送る。なお、配信データは必ずしもアナログ信号である必要はなく、デジタル信号で配信されても良い。配信データを記憶部１１３に記憶する場合、配信データ処理部１１０は記憶部１１３に記憶されている記憶用処理プログラムを使用して制御部１０５からの配信データをディジタル処理した後、記憶媒体１１１に記憶する。また、配信データを再生及び実行する場合、配信データ処理部１１０は記憶部１１３に記憶されている再生及び実行用処理プログラムを使用して制御部１０５からの配信データをディジタル処理すると共に配信データのデータ形式を判別して配信データ実行部１１２に送る。配信データ実行部１１２ではディジタル処理した配信データをデータ形式判別結果に基づいて再生及び実行する。ディジタル処理とは暗号化処理、暗号解読処理、圧縮処理、伸長処理等を含む。
【００２９】
配信データ実行部１１２にてアナログ化した音楽等の再生音はスピーカー２０８又はイヤホンマイクＩ／Ｆ１０９に出力され、再生音とデータ形式判別結果を基に生成される制御信号が振動部に出力される。また、配信データ実行部１１２にて実行した画像、プログラム、文字等は制御部１０５を経由して表示部１０４に表示される。配信データの記憶又は再生が終了すると配信データ処理部１１０は、制御部１０５を経由して記憶完了通知又は再生完了通知を表示部１０４に表示させる。イヤホンマイクＩ／Ｆからアナログ化した音楽等の再生音の出力手段としては、イヤホンマイクやヘッドホンを用いてもよい。
【００３０】
記憶媒体１１１に記憶した配信データを再生及び実行する場合、ユーザーはキー入力部１０３又はマイク１０７からの入力により、記憶媒体１１１に記憶した再生及び実行対象の配信データを選択する。制御部１０５は選択された配信データに対する読み出し命令を配信データ処理部１１０に送る。配信データ処理部１１０は、読み出し命令を受けると読み出し対象の配信データを記憶媒体１１１から読み出し、記憶部１１３に記憶されている実行及び再生用の処理プログラムによってディジタル処理した後、配信データ実行部１１０に送る。配信データ実行部１１１では配信データ処理部１１０のディジタル処理によって得られたデータ形式判別結果に基づき、結果が再生用データー形式であればディジタル処理した配信データを再生し、実行用データ形式であれば実行する。
【００３１】
記憶媒体１１１に記憶した配信データを消去する場合、キー入力部１０３又はマイク１０７からの入力により、制御部１０５が配信データ処理部１１０にユーザーが選択した配信データの消去命令を送る。配信データ処理部１１０は、記憶媒体１１１に記憶した配信データの中から選択対象の配信データを削除する。また、削除命令と削除領域情報を含む配信データを実行した場合、配信データ処理部１１０は、記憶媒体１１１の記憶領域を前記削除領域情報に基づいて自動削除を実施する。更に、制御部１０５が配信サービス機関から削除領域情報を含む削除命令を受信した場合、制御部１０５は削除領域情報を含む削除命令を配信データ処理部１１０に送る。配信データ処理部１１０は記憶媒体１１１の記憶領域を前記削除領域情報に基づいて自動削除を実施する。
【００３２】
なお、データ配信端末のＣＰＵとＲＯＭとＲＡＭは制御部１０５が具備するものを使用するか、もしくは制御部１０５が具備するものとは別に配信データ処理部１１０が具備しても良い。また、データ配信端末の通信プロトコルには、ＰＨＳ、ＰＤＣ、ＣＤＭＡ等の公知の通信プロトコルのいずれかを使用できるが、他の通信プロトコルも使用できることはいうまでもない。更に記憶部１１３に記憶されている実行及び再生用の処理プログラムはＯＳであっても良い。
【００３３】
実施の形態１では、各配信サービス機関から配信される音楽、画像、プログラム、文字等の配信データを、データ配信端末上で記憶、再生、実行、自動削除することにより、音楽、画像、プログラム、文字等の様々なデータ配信サービスに対応することができる。
【００３４】
なお、実施の形態１におけるデータ配信端末は、図１５に記載の従来の音楽配信端末に対し、記憶部１１３を追加し、制御部１５０５、配信データ処理部１５１０、配信データ再生部１５１１、に必要最小限の改良を加えた構成によって、音楽、画像、プログラム、文字等の様々なデータ配信サービスに対応したデータ配信端末を実現できる。
【００３５】
実施の形態１におけるデータ配信端末は、各配信サービス機関から配信される音楽、画像、プログラム、文字等の配信データを端末上で記憶、再生、実行、自動削除するようにしたものであり、音楽、画像、プログラム、文字等の様々なデータ配信サービスに対応することができる。
【００３６】
（実施の形態２）
次に、図２を参照して本発明の実施の形態２におけるデータ配信端末について説明する。図２は、データ配信端末の記憶媒体の着脱の状況を示す図である。図２において、２１５はデータ配信端末の筐体、２１４は記憶媒体を筐体から脱着する際に開閉するスイッチ機能付きの開閉扉、２１１は筐体から着脱が可能な構成を持ち、記憶と消去が可能な不揮発性の記憶媒体、２１０はスイッチ機能付きの開閉扉２１４からの制御信号により記憶媒体２１１に対するアクセスを制御する配信データ処理部である。
【００３７】
次に、図２を参照して、本発明の実施の形態２におけるデータ配信端末の記憶媒体着脱部の動作を説明する。まず、記憶媒体２１１をデータは配信端末の筐体２１５内部から取り出す場合、スイッチ機能付きの開閉扉２１４を開いた時にスイッチ機能付きの開閉扉２１４は配信データ処理部２１０に対して開閉扉が開いたことを示す制御信号を送出する。配信データ処理部２１０は制御信号を受け、記憶媒体２１２に対するアクセスを禁止又は中断する。上記の構成によって、記憶媒体２１１に記憶されている配信データを破壊することなく、データ配信端末の筐体２１５内部から取り出すことが可能となる。
【００３８】
記憶媒体２１１をデータ配信端末の筐体２１５に装着する場合、スイッチ機能付きの開閉扉２１４を開き、記憶媒体２１１をデータ配信端末の筐体２１５に挿入する。その際に、開閉扉２１４を開いている状態では、開閉扉２１４を開いたことを示す制御信号をデータ処理部２１０に送出して、記憶媒体２１１に対するアクセス禁止又は中断される。配信データ処理部２１０は、図示しない手段によって記憶媒体２１２が挿入されたことを電気的に確認する。その後、スイッチ機能付きの開閉扉２１４を閉じた時に、スイッチ機能付きの開閉扉２１４は配信データ処理部２１０に対して開閉扉が閉じたことを示す制御信号を送出する。配信データ処理部２１０は、開閉扉が閉じたことを示す制御信号を受け、記憶媒体２１１に対するアクセス禁止又は中断の状態を解除する。上記の構成によって、記憶媒体２１１に記憶されている配信データを破壊することなく、データ配信端末の筐体２１５内部への装着が可能となる。着脱が可能な記憶媒体２１１としてはメモリカード等の携帯可能な半導体メモリ以外に光磁気ディスク等の他の記憶媒体を使用してもよい。
【００３９】
実施の形態２によれば、データ配信端末の筐体から着脱可能な記憶媒体のデータ破壊を防止する手段を備えることにより、記憶媒体に記憶している配信データ等を破壊することなく、容易に記憶媒体の交換をすることができる。また、記憶媒体の交換を可能とすることで、ユーザーは記憶媒体の記憶容量の制限を受けることなく、容易に多くの配信データ等を取得することができる。
【００４０】
（実施の形態３）
次に、図３を参照して実施の形体３について説明する。図３は、データ配信端末の記憶部１１３に設けられた識別情報部の詳細を示すブロック図である。図３において、３０１は無線周波数信号を送受信するアンテナ、３０２は無線通信回線に適用するデータ配信端末の無線部、３０３はデータ配信端末が具備する押下式、タッチ式又はジョグダイヤル式の番号入力キーと短縮ダイヤルキーと機能設定キーを含むキー入力部、３０５は各配信サービスに対応するデータ配信端末の制御部、３０７はデータ配信端末が具備するマイクである。
【００４１】
また、３１０は受信した配信データの処理及び記憶した配信データや各種の情報等を管理する配信データ処理部、３１１は配信データ処理部３１０で管理された配信データ等の記憶と消去が可能な不揮発性の記憶媒体、３１３は配信データ処理部３１０で管理された配信データの処理プログラム及び識別情報等を記憶する記憶部である。３１６は記憶部３１３に記憶されている配信データ処理部３１０の処理プログラムを示し、３１７は配信データ処理部３１０で管理されている記憶部３１３の識別情報を示している。識別情報には、ユーザーが配信サービス機関から配信データを受信する事前に記憶したユーザー名とユーザーＩＤとを含むユーザー情報３１８、予め記憶されたデータ配信端末のハード構成とハードスペック情報とを含むハードウェア情報３１９、記憶部３１３に記憶したソフトウェアの機能とバージョン情報とを含むソフトウェア情報３２０、記憶媒体３１１の全記憶許容量と記憶済容量と残記憶容量から成る記憶容量情報と記憶したデータのファイル情報とを含むメモリ情報３２１が含まれている。
【００４２】
次に、図３を参照して、データ配信端末の識別情報に関する動作を説明する。まず、配信データ処理部３１０は、ユーザーが配信サービス機関から配信データを受信を要求する際に、事前にキー入力部３０３又はマイク３０７からの入力したユーザー名とユーザーＩＤをユーザー情報３１８に記憶しておく。また、配信データ処理部３１０は、記憶部３１３に記憶されている処理プログラム３１６等のソフトウェアを変更または追加する際にソフトウェア情報３２０を更新する機能を有している。更に、配信データ処理部３１０は、記憶媒体３１１にアクセスした際に記憶媒体３１１から全記憶許容量、記憶済容量、残記憶容量を含む記憶容量情報と記憶された配信データのファイル情報を読み出し、メモリ情報３２１を更新する。
【００４３】
そして、データ配信端末の制御部３０５はキー入力部３０３又はマイク３０７から入力された内容が配信データの受信要求であること検知すると、配信データ処理部３１０に対し識別情報３１７の要求命令を送る。配信データ処理部３１０は前記識別情報の要求命令を受け、記憶部３１３に格納されている識別情報３１７の中からユーザー情報３１８、ハードウェア情報３１９、ソフトウェア情報３２０、メモリ情報３２１を読み出し、データ配信端末の制御部３０５に送出する。データ配信端末の制御部３０５は、配信サービス機関から配信データを受信するために、配信データ処理部３１０から送られてきた識別情報３１７を無線部３０２及びアンテナ３０１を経由して配信サービス機関に送信する。配信サービス機関側では、データ配信端末側から送信された識別情報に基づいて、送信元のデータ配信端末の要求に応じて必要最小限の配信データを供給する。
【００４４】
実施の形態３によれば、データ配信端末側の識別情報として、既に記憶してあるユーザー名とユーザーＩＤとを含むユーザー情報３１８と、予め記憶された端末のハード構成とハードスペック情報とを含むハードウェア情報３１９と、記憶部に記憶したソフトウェアの機能とバージョン情報とを含むソフトウェア情報３２０と、記憶媒体の記憶容量情報と記憶したデータのファイル情報とを含むメモリ情報３２１とを用いて、データ配信の要求を配信サービス機関に送信する。送信先の前記配信サービス機関は、送信元のデータ配信端末の要求に適した必要最小限の配信データを提供することができる。必要最小限の配信データを配信することによって、無線もしくは有線の通信回線占有率を減少させるとともに通信コストを抑えることができる。
【００４５】
（実施の形態４）
次に、図４を参照して実施の形態４について説明する。図４は、データ配信端末の記憶部１１３に設けられた別の識別情報部の詳細を示すブロック図である。図４において４０１は無線周波数信号を送受信するアンテナ、４０２は無線通信回線に適用するデータ配信端末の無線部、４０３はデータ配信端末が具備する押下式、タッチ式又はジョグダイヤル式の番号入力キーと短縮ダイヤルキーと機能設定キーを含むキー入力部、４０５は各配信サービスに対応するデータ配信端末の制御部、４０７はデータ配信端末が具備するマイクである。
【００４６】
また、４１０は受信した配信データの処理及び記憶した配信データや各種の情報等を管理する配信データ処理部、４１１は配信データ処理部４１０で管理された配信データ等の記憶と消去が可能な不揮発性の記憶媒体、４１３は配信データ処理部４１０で管理された配信データの処理プログラム及び識別情報等を記憶する記憶部である。４１６は記憶部４１３に記憶されている配信データ処理部４１０の処理プログラムであり、４１７は配信データ処理部４１０で管理されている記憶部４１３の識別情報である。識別情報４１７には、ユーザーが配信サービス機関から配信データを受信する事前に記憶したユーザー名とユーザーＩＤとを含むユーザー情報４１８、現在登録している配信サービス機関と配信サービス内容とを含む配信サービス利用情報４２２が含めれている。
【００４７】
次に、本発明のデータ配信端末の別の識別情報に関する動作を説明する。まず、配信データ処理部４１０は、ユーザーが配信サービス機関から配信データの受信を要求する前に、キー入力部４０３又はマイク４０７から入力したユーザー名とユーザーＩＤをユーザー情報４１８に記憶しておく。また、配信データ処理部４１０は、ユーザーが配信サービスを受ける際に、各配信サービス機関に対し登録した配信サービス機関と配信サービス内容をサービス利用情報４２２に記憶する。更に、配信データ処理部４１０は配信サービス機関と配信サービス内容が変更される毎にサービス利用情報４２２を更新する。
【００４８】
そして、データ配信端末の制御部４０５は、キー入力部４０３又はマイク４０７から入力された内容が記憶媒体４１１に記憶した配信データの送信であること検知すると、配信データ処理部４１０に対し識別情報４１７の要求命令を送出する。配信データ処理部４１０は、前記要求命令を受け、記憶部４１３に格納されている識別情報４１７の中からユーザー情報４１８、配信サービス利用情報４２２を読み出すと共に、入力によって選択された配信データを記憶媒体４１１から読み出す。更に、配信データ処理部４１０は読み出した配信データを記憶部４１３に格納されている処理プログラム４１６を用いて処理し、ユーザー情報４１８と配信サービス利用情報４２２を付加した状態でデータ配信端末の制御部４０５に送出する。
【００４９】
データ配信端末の制御部４０５は、配信サービス機関から配信データを受信するに際して、接続時に配信データ処理部４１０から送られてきた識別情報４１７を無線部４０２及びアンテナ４０１を経由して通信回線網に接続されている配信サービス機関に送信する。配信サービス機関側では端末側から送信された識別情報によって、配信データの受信または配信データの記憶を許可する構成とすることで、データ配信端末側へ送信された配信データが正規に配信を要求したデータ配信端末以外に配信（記憶）されることを防止する。
【００５０】
実施の形態４によれば、データ配信端末側の識別情報として、ユーザーが配信サービス機関から配信データを受信する前に記憶（登録）したユーザー名とユーザーＩＤとを含むユーザー情報４１８と、現在登録している配信サービス機関と配信サービス内容とを含む配信サービス利用情報４２２とを用いて、データ配信の要求を配信サービス機関に送信する。
【００５１】
（実施の形態５）
次に、図５を参照して実施の形態５について説明する。図５は、本発明のデータ配信端末の配信サービス設定情報の基本的構成を示す図である。図５において５０１は無線周波数信号を送受信するアンテナ、５０２は無線通信回線適用するデータ配信端末の無線部、５０３はデータ配信端末が具備する押下式、タッチ式又はジョグダイヤル式の番号入力キーと短縮ダイヤルキーと機能設定キーを含むキー入力部、５０５は各配信サービスに対応するデータ配信端末の制御部、５０７はデータ配信端末が具備するマイクである。
【００５２】
また、５１０は受信した配信データの処理及び記憶した配信データや各種の情報等を管理する配信データ処理部、５１３は配信データ処理部５１０で管理された配信データの処理プログラム及び配信サービス設定情報等を記憶する記憶部、５２３は配信サービス機関が提供する配信サービスの機能制限や機能拡張等の設定内容を含む配信サービス設定情報である。
【００５３】
次に、図５を参照して、本発明のデータ配信端末の配信サービス設定情報に関する動作を説明する。まず、配信データ処理部５１０はユーザーが配信サービス機関から配信データを受信を要求する前に、キー入力部５０３又はマイク５０７から入力した配信サービス機関に対する各種の設定を配信サービス設定情報５２３に記憶する。
【００５４】
そして、データ配信端末の制御部５０５は、キー入力部５０３又はマイク５０７から入力された内容が配信データの受信であること検知すると、配信データ処理部５１０に対し配信サービス設定情報５２３の要求命令を送出する。配信データ処理部５１０は前記要求命令を受け、記憶部５１３に格納されている配信サービス設定情報５２３を読み出し、データ配信端末の制御部５０５に送出する。データ配信端末の制御部５０５は、配信サービス機関から配信データを受信する間に配信データ処理部５１０から送られてきた配信サービス設定情報５２３を無線部５０２及びアンテナ５０１を経由して配信サービス機関に送信する。
【００５５】
実施の形態５によれば、ユーザーが配信データを受信する事前に記憶した配信サービス機関への各種設定内容を含む配信サービス設定情報を前記配信データの受信中に同時送信することにより、前記配信サービス設定情報の送信に要する通信コストを抑えることができる。
【００５６】
（実施の形態６）
次に、図６を参照して実施の形態６について説明する。図６は、本発明のデータ配信端末の配信サービス広告情報に関する部分の構成を示すブロック図である。図６において、６０１は無線周波数信号を送受信するアンテナ、６０２は無線通信回線に適用するデータ配信端末の無線部、６０３はデータ配信端末が具備する押下式、タッチ式又はジョグダイヤル式の番号入力キーと短縮ダイヤルキーと機能設定キーを含むキー入力部、６０４はデータ配信端末が具備する電話番号、電話機の応答メッセージ、画像、文字情報を表示する表示部、６０５は各配信サービスに対応するデータ配信端末の制御部、６０７はデータ配信端末が具備するマイクである。
【００５７】
また、６１０は受信した配信データの処理及び記憶した配信データや各種の情報等を管理する配信データ処理部、６１１は配信データ処理部６１０で管理された配信データ等の記憶と消去が可能な不揮発性の記憶媒体、６１２は配信データ処理部６１１で処理された配信データを再生及び実行する配信データ実行部、６１３は配信データ処理部６１０で管理された配信データの処理プログラム及び配信データ広告情報等を記憶する記憶部、６２４は配信サービス機関から配信データを受信する事前に記憶される配信サービス機関の最新情報や宣伝広告を含む配信サービス広告情報である。
【００５８】
次に、図６を参照して、本発明のデータ配信端末の配信サービス広告情報についての動作を説明する。まず、データ配信端末の制御部６０５は、キー入力部６０３又はマイク６０７から入力された内容が配信データの受信要求であること検知すると、配信データ処理部６１０に対し記憶部６１３に格納されている配信サービス広告情報６２４の消去命令を送る。配信データ処理部６１０は前記削除命令を受け、記憶部６１３に格納されている配信サービス広告情報６２４を削除した上で、データ配信端末の制御部６０５に削除の完了を通知する。データ配信端末の制御部６０５は削除の完了通知を受け、配信サービス機関に接続し、配信サービス機関の最新情報や宣伝広告をアンテナ６０１と無線部６０２を経由して受信する。
【００５９】
配信データ処理部６１０は、データ配信端末の制御部６０５で受信した情報を配信データ配信サービス広告情報６２４に記憶し、記憶が完了すると配信サービス広告情報６２４を読み出して配信データ実行部６１２で処理させる。その際、データ配信端末の制御部６０５に配信データの受信を開始させると共に配信データ実行部６１２に読み出した配信サービス広告情報を処理させ、データ配信端末の制御部６０５を経由して表示部６０４に表示させる。また、データ配信端末の制御部６０５は配信データを受信し、配信データ処理部６１０がディジタル処理した上で記憶媒体６１１に記憶する。配信データの記憶が完了すると、配信データ処理部６１０は配信データ実行部６１２に配信サービス広告情報６２４の処理を停止させ、データ配信端末の制御部６０５を経由して記憶完了通知を表示部６０４に表示させる。
【００６０】
配信データを記憶媒体６１１に記憶した後に、キー入力部６０３又はマイク６０７から配信サービス広告情報６２４を表示する入力あった場合、配信データ処理部６１０は、記憶部６１３に記憶した配信サービス広告情報６２４を読み出し、配信データ実行部６１２で処理させ、データ配信端末の制御部６０５を経由して表示部６０４に表示させる。
【００６１】
実施の形態６によれば、配信データを受信中に記憶した配信サービス機関の最新情報や宣伝広告を含む配信サービス広告情報を、前記配信データの受信開始から記憶媒体への記憶が完了する迄データ配信端末の表示部に表示することにより、ユーザーは前記配信データを受信している時間に配信サービス機関からの最新情報や宣伝広告を知ることができる。
【００６２】
（実施の形態７）
次に、図７を参照して実施の形態７について説明する。図７は、本発明のデータ配信端末の配信データ自動（予約）受信に関するの基本的構成を示すブロック図である。図７において７０１は無線周波数信号を送受信するアンテナ、７０２は無線通信回線に適用するデータ配信端末の無線部、７０３はデータ配信端末が具備する押下式、タッチ式又はジョグダイヤル式の番号入力キーと短縮ダイヤルキーと機能設定キーを含むキー入力部、７０５は各配信サービスに対応するデータ配信端末の制御部、７０７はデータ配信端末が具備するマイク、７２６はデータ配信端末の制御部が具備する日時をカウントする計時機能部である。
【００６３】
また、７１０は受信した配信データの処理及び記憶した配信データや各種の情報等を管理する配信データ処理部、７１１は配信データ処理部７１０で管理された配信データ等の記憶と消去が可能な不揮発性の記憶媒体、７１３は配信データ処理部７１０で管理された配信データの処理プログラム及び配信サービス予約情報等を記憶する記憶部、７２５はユーザーが配信サービス機関から配信データを自動的に受信する事前に記憶した自動受信開始日時と自動受信する配信サービス機関と接続するための電話番号と配信データ内容とを含む配信サービス予約情報である。
【００６４】
次に、図７を参照して、本発明のデータ配信端末の配信データ自動（予約）受信の動作を説明する。まず、ユーザーが配信サービス機関から配信データを自動的に受信する前に、キー入力部７０３又はマイク７０７から自動受信を開始する日時、自動受信する配信サービス機関と接続するための電話番号、自動受信する配信データ内容を入力し、配信データ処理部７１０が記憶部７１３の配信サービス予約情報７２５に記憶する。
【００６５】
そして、データ配信端末の制御部７０５は、キー入力部７０３又はマイク７０７から入力された内容が、配信サービス予約情報７２５に基づいた自動受信の実行であること検知すると、配信データ処理部７１０に対し自動受信の実行開始命令を送る。配信データ処理部７１０は、実行開始命令を受け、データ配信端末の制御部７０５に内蔵されている計時機能部７２６に対し配信サービス予約情報７２５に記憶した受信開始日時を送る。計時機能部７２６では受信開始日時とカウントしている日時とを比較し、一致した際に配信データ処理部７１０に自動受信開始命令を配信データ処理部７１０に送る。配信データ処理部７１０は命令を受け、配信サービス予約情報７２５に記憶した配信サービス機関接続用の電話番号を用いてデータ配信端末の制御部７０５に接続させ、配信サービス予約情報７２５に記憶されている配信データ名を一致するものを配信サービス機関より受信させる。更に、配信データ処理部７１０はアンテナ７０１と無線部７０２を経由して受信した配信データをディジタル処理した上で記憶媒体７１１に記憶し、記憶が完了するとデータ配信端末の制御部７０５に配信サービス機関との接続を終了させる。
【００６６】
実施の形態７によれば、配信データを受信要求するに際して、配信サービス予約情報に記憶した自動受信開始日時と端末内でカウントする日時とが一致した時、所望の配信データを配信サービス機関から自動受信して記憶媒体に記憶することにより、ユーザーが端末を操作できない時刻であっても確実に所望する配信データを得ることができる。
【００６７】
（実施の形態８）
次に、図８を参照して実施の形態８について説明する。図８は、本発明のデータ配信端末の配信データ自動受信に関する基本的構成を示すブロック図である。図８において、８０１は無線周波数信号を送受信するアンテナ、８０２は無線通信回線に適用するデータ配信端末の無線部、８０３はデータ配信端末が具備する押下式、タッチ式又はジョグダイヤル式の番号入力キーと短縮ダイヤルキーと機能設定キーを含むキー入力部、８０５は各配信サービスに対応するデータ配信端末の制御部、８０７はデータ配信端末が具備するマイクである。
【００６８】
また、８１０は受信した配信データの処理及び記憶した配信データや各種の情報等を管理する配信データ処理部、８１１は配信データ処理部８１０で管理された配信データ等の記憶と消去が可能な不揮発性の記憶媒体、８１３は配信データ処理部８１０で管理された配信データの処理プログラム及び遠隔指示情報等を記憶する記憶部、８２６は通信回線網に接続されている外部通信機器からの遠隔操作によって記憶した配信サービス機関の電話番号と配信データ内容と自動受信を開始する為の認証番号とを含む遠隔指示情報である。
【００６９】
次に、図８を参照して、本発明のデータ配信端末の配信データ自動受信の動作を説明する。まず、ユーザーが配信サービス機関から配信データを自動的に受信する前に、キー入力部８０３又はマイク８０７から自動受信を開始する為の認証番号を入力し、配信データ処理部８１０が記憶部８１３の遠隔指示情報８２６に記憶する。データ配信端末の制御部８０５は、通信回線網に接続されている他の通信機器からの着信により認証番号を受信したこと検知すると配信データ処理部８１０に対し受信した認証番号を送る。配信データ処理部８１０は認証番号を受け、事前に遠隔指示情報８２６に記憶した認証番号と図示しない検知部で比較し、一致した際はデータ配信端末の制御部８０５に他の通信機器との接続を終了させる。一致しない場合は他の通信機器に対し認証番号が一致しないことを通知し、その後、ある期間内に一致する認証番号を受信できなければ、他の通信機器との接続を終了させる。
【００７０】
そして、遠隔指示情報８２６に記憶した配信サービス機関に接続するための電話番号を用いてデータ配信端末の制御部８０５に配信サービス機関と自動接続させ、遠隔指示情報８２６に記憶した配信データ名が一致するものを配信サービス機関より受信させる。更に、配信データ処理部８１０は、アンテナ８０１と無線部８０２を経由して受信した配信データをディジタル処理した上で記憶媒体８１１に記憶し、記憶が完了するとデータ配信端末の制御部８０５に配信サービス機関との接続を終了させる。
【００７１】
実施の形態８によれば、配信データを受信する前に、遠隔指示情報に記憶した認証番号が他の通信機器から受信した認証番号と一致した時、所望の配信データを配信サービス機関から自動受信して記憶媒体に記憶することにより、ユーザーが端末を操作できない環境下であっても他の通信機器からの遠隔操作によって確実に所望するデータを得ることができる。
【００７２】
（実施の形態９）
次に、図９及び図１を参照して実施の形態９について説明する。図９は、本発明のデータ配信端末の記憶媒体に対するデータ管理処理を説明するフローチャートである。これは図１に示したデータ配信処理部１１３によって実行される処理となる。
【００７３】
定期的もしくは記憶媒体１１１に配信データ等のデータを書き込む際等において、記憶媒体１１１に記憶されているデータを判定するイベントが発生したか否かを判定する（ステップ９０１）。ステップ９０１の判定がＹｅｓの場合、配信データ処理部１１０は、記憶媒体１１１に記憶されている配信データの添付情報から記憶媒体１１１に不要なデータが存在するか否かを判定する（ステップ９０２）。判定は事前にキー入力部１０３又はマイク１０７から入力し、記憶部１１３に記憶した判定基準情報を配信データ処理部１１２が読み出して行う。ステップ９０２の判定がＹｅｓ（不要なデータが存在すると判定）場合、配信データ処理部１１０が記憶媒体１１１の不要なデータのみを削除し、新たなデータを記憶する為の記憶容量を確保する（ステップ９０３）。
【００７４】
記憶媒体１１１に新たなデータを記憶するか否かの判定をする（ステップ９０４）。ステップ９０４の判定がＹｅｓ（新たなデータを記憶する）場合、配信データ処理部１１２が記憶媒体１１１の先に不要なデータを削除した記憶領域から書き込みを行う（ステップ９０５）。その後、又はステップ９０１，９０２，９０４でＮｏの場合は、記憶媒体１１１のデータを判定するイベントが再度発生するまで待機状態となる。
【００７５】
実施の形態９によれば、記憶媒体に記憶した不要なデータを判定し自動削除する工程と、自動削除で得られた空き領域を優先的に追加データを記憶する工程とを含む記憶媒体のデータ管理を行うことにより、記憶媒体の不要なデータ蓄積を防止するとともに、記憶領域を効率良く使用することができる。
【００７６】
（実施の形態１０）
次に、図１０及び図１を参照して実施の形態１０について説明する。図１０は、本発明のデータ配信端末の不要な記憶媒体のデータを自動削除するデータ管理処理を説明するフローチャートである。これは図１に示した配信データ処理部１１０によって実行される処理となる。
【００７７】
キー入力部１０３又はマイク１０７からの入力が記憶媒体１１１に記憶されている実行データの実行開始である場合には、配信データ処理部１１０は記憶媒体１１１に記憶した実行データを読み出し、配信データ実行部１１２に実行させる（ステップ１００１）。配信データ処理部１１０での実行データ内に削除命令と削除領域情報が記載されているか否かの判定をする（ステップ１００２）。ステップ１００２の判定がＹｅｓ（削除命令と削除領域情報を検知）の場合、配信データ実行部１１２における実行データの実行を継続しつつ、削除領域情報に基づいて実行が終了して不要となった記憶媒体１１１のデータを削除する（ステップ１００３）。以上の処理は配信データ実行部１１２による実行データの実行終了（ステップ１００４）と判断するまで繰り返される。
【００７８】
実施の形態１０によれば、不要となる実行データの領域を示す削除領域情報及び削除命令が付加されている実行データを使用し、実行データの実行中に削除命令を検知し削除領域情報に基づき削除する記憶媒体のデータ管理手段を備えることにより、実行が終了すると不要となる実行データを実行直後に記憶媒体から自動的に削除するとともに、記憶領域を確保することができる。
【００７９】
（実施の形態１１）
次に、図１１及び図１を参照して実施の形態１１について説明する。図１１は、本発明のデータ配信端末の不要な記憶媒体のデータを自動削除するデータ管理処理を説明するフローチャートである。これは主に図１に示した配信データ処理部１１０によって実行される処理となる。
【００８０】
キー入力部１０３又はマイク１０７からの入力が記憶媒体１１１に記憶されている実行データの実行開始である場合、配信データ処理部１１０は、記憶媒体１１１に記憶した実行データを読み出し、配信データ実行部１１２に実行させる（ステップ１１０１）。記憶媒体からの読み出しの実行が終了したか否かの判定をする（ステップ１１０２）。ステップ１１０２の判定がＮｏ（実行が終了していない）の場合、配信データ処理部１１０が実行データの内容に指定の追加実行データの要求があるか否かの判定をする（ステップ１１０３）。ステップ１１０３の判定がＹｅｓ（追加実行データの要求がある）場合、制御部１０５に追加実行データの要求命令を送る（ステップ１１０４）。制御部１０５は要求命令を受け、配信サービス機関に自動接続し、追加実行データから成る配信データの要求を送信する。そして、配信サービス機関より指定された追加実行データから成る配信データを取得し、配信データ処理部１１０に送る（ステップ１１０５）。なお、この追加実行データは、配信データ実行部１１２で画像、プログラム、文字等の実行（処理）を継続するための実行データを示す。
【００８１】
配信データ処理部１１０は、ステップ１１０６で取得した追加実行データに削除命令と削除領域情報とが付加されているか否かの判定する（ステップ１１０６）。ステップ１１０６の判定がＹｅｓ（削除命令と削除領域情報とが付加されている）場合、削除領域情報に基づき、実行が終了して不要となった記憶媒体１１１のデータを削除する（ステップ１１０７）。削除が完了すると、先に取得した追加実行データを記憶媒体１１１に記憶する（ステップ１１０８）。記憶が完了後はステップ１１０１に戻り、記憶媒体１１１に記憶が完了した追加実行データを読み出して実行を再開する。
【００８２】
実施の形態１１によれば、不要となる実行データの領域を示す削除領域情報及び削除命令が付加されている追加実行データを使用し、配信サービス機関から追加実行データを取得した際に、付加されている削除命令を検知して削除領域情報に基づき削除する記憶媒体のデータ管理手段を備えることにより、実行が終了すると不要となる実行データを追加実行データが必要となった場合に記憶媒体から自動的に削除するとともに、追加実行データの記憶領域を確保することができる。
【００８３】
（実施の形態１２）
次に、図１２及び図１を参照して実施の形態１２について説明する。図１２は、本発明のデータ配信端末の実行データの実行開始までの処理を説明するフローチャートである。これは、主に図１に示した配信データ処理部１１０によって実行される処理となる。
【００８４】
キー入力部１０３又はマイク１０７からの入力が、記憶媒体１１１に記憶されている実行データの実行開始である場合、ステップ１２０１で配信データ処理部１１０は記憶媒体１１１に記憶した実行データを読み出して内容の解析をする（ステップ１２０１）。ステップ１２０１に解析した内容が、記憶部１１３の実行データ処理プログラムで実行が不可能か否かの判定をする（ステップ１２０２）。ステップ１２０２の判定がＹｅｓ（実行処理が可能でない）の場合、配信データ処理部１１０は記憶部１１３に記憶されている解析用プログラムを使用して、処理できない要因を解析する。解析が終了すると、配信データ処理部１１０は解析が終了した記憶部１１３の処理プログラムを削除する（ステップ１２０３）。処理プログラムの削除の後、制御部１０５に実行可能な処理プログラムの要求命令と解析結果を送る（ステップ１２０４）。要求命令を受けた制御部１０５は、配信サービス機関に自動接続し、実行可能な処理プログラム要求と解析結果を送信して、配信サービス機関から選択された実行処理可能な処理プログラムを前記自動接続によって取得し、配信データ処理部１１０に送る（ステップ１２０５）。
【００８５】
配信データ処理部１１０は、取得した実行処理可能な処理プログラムを記憶部１１３に記憶した後、記憶した処理プログラムを使用して先に記憶媒体１１１から読み出した実行データの実行を開始する（ステップ１２０６）。
【００８６】
実施の形態１２によれば、配信データ処理部が記憶媒体に記憶した実行データの実行処理が不可能と判定した時、配信サービス機関から実行可能な処理プログラムを自動接続によって記憶部に記憶し、実行処理することにより各配信サービス機関からの様々な配信データを端末上で再生及び実行することができる。
【００８７】
（実施の形態１３）
次に、図１３を参照して実施の形態１３について説明する。図１３は、本発明のデータ配信端末の再生部に関するの基本的構成を示すブロック図である。図１３において、１３０３はデータ配信端末が具備する押下式、タッチ式又はジョグダイヤル式の番号入力キーと短縮ダイヤルキーと機能設定キーを含むキー入力部、１３０５は各配信サービスに対応するデータ配信端末の制御部、１３０６はデータ配信端末が具備する着信報知用及び出力音圧レベルによって振動する体感用の振動部、１３０７はデータ配信端末が具備するマイク、１３０８はデータ配信端末が具備する受話音や再生音を出力するスピーカー、１３０９はデータ配信端末が具備するステレオイヤホンマイク等を接続するイヤホンマイク、Ｉ／Ｆである。
【００８８】
また、１３１０は受信した配信データの処理及び記憶した配信データや各種の情報等を管理する配信データ処理部、１３１１は配信データ処理部１３１０で管理された配信データ等の記憶と消去が可能な不揮発性の記憶媒体、１３１２は配信データ処理部１３１１で処理された配信データを再生及び実行する配信データ実行部、１３１３は配信データ処理部１３１０で管理された配信データの処理プログラム及び識別情報等を記憶する記憶部である。
【００８９】
また、配信データ実行部１３１２内の１３２７は配信データ処理部１３１１で処理された配信データをディジタル再生データに変換するディジタル再生データ出力部、１３２８は再生データ出力部１３２７から出力されるディジタル再生データをアナログ信号にＤ／Ａ変換するＤ／Ａ部、１３２９は配信データ処理部１３１０からの制御信号とディジタル再生データ出力部１３２７からのディジタル再生データを使用して振動部１３０６の制御を行う振動制御部である。
【００９０】
次に、図１３を参照して、本発明のデータ配信端末の再生部の動作を説明する。キー入力部１３０３又はマイク１３０７からの入力より、制御部１３０５が振動部１３０６を使用する音楽再生と判定した場合、制御部１３０５は配信データ処理部１３１０に対し、振動部１３０６を使用する音楽再生命令とその再生するデータ情報を送る。配信データ処理部１３１０は、記憶部１３１３に記憶されている振動部１３０６を使用する再生処理プログラムを使用して、事前に記憶部１３１１に記憶した再生対象の配信データ、もしくは制御部１３０５にて受信中の配信データを読み出し、ディジタル処理した上で配信データ実行部１３１２に送る。また、ディジタル処理した再生対象の配信データを配信データ実行部１３１２に送る際に、振動制御部１３２９に対して振動制御信号を送る。
【００９１】
配信データ実行部１３１２のディジタル再生データ出力部１３２７では、ディジタル処理された再生対象データをオーディオ用データに変換してＤ／Ａ部１３２８に送ると共に、オーディオ用データより再生音の出力レベル制御データを生成し、振動制御部１３２９に送る。Ｄ／Ａ部１３２８ではオーディオ用データをアナログ信号に変換し、音量と音質等を調整した上でスピーカー１３０８、又はイヤホンマイクＩ／Ｆに出力する。振動制御部１３２９は配信データ処理部１３１０からの振動制御信号によって、ディジタル再生データ出力部１３２７からの再生音の出力レベル制御データを電圧変換し、変換した電圧レベルによって振動部１３０６を駆動させる。なお、再生音の出力レベル制御データは出力レベルをデータ化したもの、もしくはある一定周期でサンプリングした出力レベルの変動差分をデータ化したものを使用する。
【００９２】
再生音の出力レベル制御データに出力レベルをデータ化したものを使用する際の振動部１３０６への制御は、ディジタル再生データ出力部１３２７で生成された再生音の出力レベルに応じて、レベルが大きい場合は振動部１３０６に高い電圧を供給して振動部１３０６の振動数を高くし、レベルが小さい場合は振動部１３０６に低い電圧を供給し、振動部１３０６の振動数を低くする。出力レベルの変動差分をデータ化したものを使用する際の振動部１３０６への制御は、ディジタル再生データ出力部１３２７で生成された再生音の出力レベルを一定周期でサンプリングし、前にサンプリングしたレベルからの差分が事前にユーザーが設定する閾値を超えた場合は振動部１３０６に高い電圧を供給して振動部１３０６の振動数を高くし、差分が閾値内にある場合は振動部１３０６に低い電圧を供給し、振動部１３０６の振動数を低くする。また、振動部１３０６の駆動電圧よりも低い電圧を供給し、振動部１３０６を停止させても良い。
【００９３】
実施の形態１３によれば、配信データの再生出力手段として着信報知用の振動部を使用し、再生音の出力レベル、もしくは出力レベル変動に応じて振動部を振動させることにより、ユーザーが端末を通して音楽等の臨場感を体感することができる。また、実施の形態１３によるデータ配信端末は、配信データの再生出力手段として着信報知用の振動部を使用し、再生音の出力レベル、もしくは出力レベル変動に応じて振動部を振動させることにより、ユーザーが端末を通して音楽等の臨場感を体感することができる。
【００９４】
（実施の形態１４）
次に、図１４を参照して実施の形態１４について説明する。図１４は、本発明のデータ配信端末を用いたデータ配信システムの構成を示すブロック図である。図１４において、１４０１は通常のアナログ回線、もしくはディジタル回線を含む通信回線網、１４０２は通信回線網１４０１に有線接続され、屋内又は屋外に設置されているデータ配信システムの公衆基地局、１４０３は請求項１記載の据え置き型、もしくは移動機型のデータ配信端末、１４０４はデータ配信端末１４０４と通信が可能な据え置き型、もしくは移動機型の外部通信機器である。
【００９５】
また、１４０５は通信回線網１４０１に有線接続され、蓄積している配信データを利用者に提供するサービスを行う配信サービス機関であり、情報管理部１４０６が含まれる。該情報管理部には、以下の情報が蓄積されている。１４０６は配信サービス機関１４０５とサービス契約を結んでいる利用者のユーザー名とユーザーＩＤとを含むユーザー情報と、利用者が所有するデータ配信端末１４０３のハード構成とハードスペック情報とを含むハードウェア情報と、ソフトウェアの機能とバージョン情報とを含むソフトウェア情報と、データ配信端末１４０３が具備する記憶媒体の全記憶許容量と記憶済容量と残記憶容量から成る記憶容量から成る記憶容量情報と記憶したデータのファイル情報とを含むメモリ情報と、配信サービス機関１４０５と契約している配信サービス内容や配信データと処理プログラムの送信履歴等を記憶した配信サービスの利用状況を含む配信サービス利用情報から成る識別情報、更に利用者がデータ配信端末１４０３より設定する配信サービスの機能制限や機能拡張等の設定内容を含む配信サービス設定情報と、配信サービス機関の最新情報や宣伝広告を含む配信サービス広告情報と、課金情報とを蓄積及び管理する情報。また、配信サービス機関には、情報解析部１４０７が含まれる。そして、情報解析部では、利用者のデータ配信端末１４０３から受信した追加実行データから成る配信データの要求や処理プログラムの要求やデータ配信端末１４０３で発生した問題の解析結果等の情報に対し、情報管理部で管理している情報を含めて解析が実行される。１４０８は配信サービス機関１４０５が具備するデータベースであって、１４０９はデータベース１４０８に蓄積されている音楽、画像、プログラム、文字等の配信データ、１４１０はデータベース１４０８に蓄積されている配信データを利用者のデータ配信端末１４０３上で再生、もしくは実行する際に必要となる処理ブロクラムである。なお、追加実行データとはデータ配信端末１４０３上で実行する画像、プログラム、文字等の追加データを示す。
【００９６】
次に、図１４を参照して、本発明のデータ配信システムについて説明する。図１４は、本発明のデータ配信システムの基本的構成を示すブロック図である。データ配信端末１４０３のユーザーは、公衆基地局経由１４０２で通信回線網１４０１に接続されている配信サービス機関１４０５にアクセスし、所望の配信サービスを提供する配信サービス機関１４０５とオンライン契約もしくはオフライン契約を結びユーザー登録を行う。この際、利用者のユーザー名とユーザーＩＤとを含むユーザー情報が配信サービス機関１４０５の情報管理部１４０６に登録される。なお、この場合のアクセスとは、公衆基地局経由１４０２で通信回線網１４０１を介した通信を示す。
【００９７】
ユーザー登録後、データ配信端末１４０３から配信サービス機関１４０５にアクセスした際は、始めにデータ配信端末１４０３のユーザー情報が配信サービス機関１４０５の情報管理部１４０６に送信され、情報管理部１４０６は管理されたユーザー情報と比較して認証を行う。そして、比較結果が一致した場合は、情報管理部１４０６からデータ配信端末１４０３に対し、配信サービスを許可する信号を送信し、一致しなかった場合はデータ配信端末１４０３にユーザー情報の再送を要求する信号を送信する。また、情報管理部１４０６は、オンライン登録時もしくは認証時に契約した配信サービス内容を含む配信サービス利用情報をデータ配信端末１４０３に送信し、データ配信端末１４０３は受信した配信サービス利用情報を具備する記憶部に記憶する。
【００９８】
情報管理部１４０６が配信サービスを許可した場合、蓄積している配信サービス機関の最新情報や宣伝広告を含む配信サービス広告情報をデータ配信端末１４０３に送信する。データ配信端末１４０３では受信した配信サービス広告情報を具備する記憶部に記憶し、ユーザーの必要に応じて具備する表示部に表示する。ユーザーは情報管理部１４０６からの配信サービス広告情報等を基に、データ配信端末１４０３の入力によって所望する配信データ等を選択する。
【００９９】
そして、所望する配信データをデータ配信端末１４０３が配信サービス機関１４０５から受信する場合、データ配信端末１４０３は配信サービス機関１４０５に対し、ユーザーが決定した配信データ等の選択情報と共に記憶されている識別情報を送信する。配信サービス機関１４０５の情報管理部１４０６では受信した識別情報と、ユーザー情報を基に管理している利用者の識別情報とを比較し、受信した識別情報が新しくなっている場合は管理している利用者の識別情報を新しい情報に更新する。
【０１００】
管理している利用者の識別情報が確定すると、情報解析部１４０７は受信した配信データ等の選択情報と情報管理部１４０６で管理している利用者の識別情報とを解析し、利用者が所有するデータ配信端末１４０３のハードウェアとソフトウェアに最も適している配信データをデータベース１４０８内に蓄積している配信データ１４０９から選択する。そして、選択した配信データ１４０９を送信し、データ配信端末１４０３から配信データの受信完了通知信号を受信すると、情報管理部１４０６は管理している利用者の課金情報と配信サービス利用情報を更新する。
【０１０１】
配信サービス機関１４０５が、利用者のデータ配信端末１４０３から配信サービス設定情報を受信した場合、情報管理部１４０６は受信した配信サービス設定情報と、ユーザー情報を基に管理している利用者の配信サービス設定情報とを比較し、受信した配信サービス設定情報が新しくなっている場合は管理している利用者の配信サービス設定情報を新しい情報に更新する。そして、管理している利用者の配信サービス設定情報が確定すると、配信サービス機関１４０５は利用者のデータ配信端末１４０３に対し配信サービス設定の完了通知を送信するとともに、確定した配信サービス設定情報に含まれる配信サービスの機能制限や機能拡張等の設定に応じたサービス提供を開始する。
【０１０２】
配信サービス機関１４０５が利用者のデータ配信端末１４０３からの追加実行データから成る配信データの要求を受信した場合、情報解析部１４０７は情報管理部１４０６で管理している配信サービス利用情報より、利用者が所有するデータ配信端末１４０３のハードウェアとソフトウェアに最も適している追加実行データをデータベース１４０８内に蓄積している配信データ１４０９から選択する。そして、選択した配信データ１４０９を送信し、データ配信端末１４０３から配信データの受信完了通知信号を受信すると、情報管理部１４０６は管理している利用者の課金情報と配信サービス利用情報を更新する。なお、データベース１４０８内の実行データから成る配信データ１４０９を加工して、追加実行データから成る配信データ１４０９を作成する機能を情報解析部１４０７に持たせても良い。
【０１０３】
配信サービス機関１４０５が、利用者のデータ配信端末１４０３から処理プログラムの要求及びデータ配信端末１４０３で発生した問題の解析結果等の情報を受信した場合、情報解析部１４０７は受信した解析結果等の情報と情報管理部１４０６で管理している利用者の識別情報とを解析し、利用者が所有するデータ配信端末１４０３のハードウェアとソフトウェアに最も適している処理プログラム１４１０をデータベース１４０８内に蓄積している配信データ１４０９から選択する。そして、選択した配信データ１４０９を送信し、データ配信端末１４０３から配信データの受信完了通知信号を受信すると、情報管理部１４０６は管理している利用者の配信サービス利用情報を更新する。なお、情報解析部１４０７で解析した結果等を踏まえた処理プログラム１４１０を作成する機能を情報解析部１４０７に持たせても良い。
【０１０４】
配信サービス機関１４０５が、利用者のデータ配信端末１４０３から配信サービス設定情報を受信した場合、情報管理部１４０６は受信した配信サービス設定情報と、ユーザー情報を基に管理している利用者の配信サービス設定情報とを比較し、受信した配信サービス設定情報が新しくなっている場合は管理している利用者の配信サービス設定情報を新しい情報に更新する。そして、管理している利用者の配信サービス設定情報が確定すると、配信サービス機関１４０５は利用者のデータ配信端末１４０３に対し配信サービス設定の完了通知を送信するとともに、確定した配信サービス設定情報に含まれる配信サービスの機能制限や機能拡張等の設定に応じたサービス提供を開始する。
【０１０５】
なお、データ配信端末１４０３から配信サービス機関１４０５へのアクセス及び配信データの取得は、データ配信端末１４０３と通信が可能な外部通信機器１４０４からデータ配信端末１４０３を遠隔操作することによって実施してもよい。また、利用者が配信サービス機関１４０５と交わした契約の範囲内でデータ配信端末１４０３は外部通信機器１４０４に対して取得した配信データを送信してもよい。
【０１０６】
実施の形態１４によれば、通信回線網に接続している音楽配信サービス機関に情報管理部の蓄積情報と受信する情報等から配信データ等を選択する情報解析部と、データ配信端末に対応する配信データと処理プログラムを蓄積したデータベースを備え、利用者のデータ配信端末に適した音楽、画像、プログラム、文字等の配信サービスを提供することにより、データ配信サービスの利用者はデータ配信端末上で音楽、画像、プログラム、文字等の様々なデータ配信サービスを受けることができる。
【０１０７】
【発明の効果】
本発明のデータ配信端末は、配信サービス機関から受信した配信データの記憶と消去が可能な着脱可能な記憶媒体と、前記配信データを記憶部に格納した処理プログラムによって処理する配信データ処理部と、前記配信データの再生、実行及び選択的削除を行う配信データ実行部と、を備えることにとにより、音楽、画像、プログラム、文字等の様々な配信データを再生、実行するとともに、不要な配信データを選択的に削除することができるため、記憶媒体の記憶領域を効率良く使用して大容量の配信データを扱うことができ、音楽、画像、プログラム、文字等の様々なデータ配信サービスに対応することができる。
【０１０８】
本発明のデータ配信端末は、前記記憶媒体の着脱中に、前記記憶媒体へのアクセスを禁止する保護手段を備えたことにより、記憶媒体に記憶されている配信データを破壊することなく外部に持ち出すことができる。また、記憶媒体を交換することでユーザーは多くの配信データを扱うことができる。
【０１０９】
本発明のデータ配信端末は、前記記憶部に保持される端末使用者を特定するユーザー情報、端末構成、性能を特定するハードウェア情報、前記処理プログラムを特定するソフトウェア情報及び前記記憶媒体の容量を特定するメモリ情報を含む識別情報を、前記配信データが配信される前に前記配信サービス機関に送信する送信部を備えることにより、配信サービス機関が端末に適した配信データを特定することができる。また、配信サービス機関との間で端末に適した配信データの通信を行い、不要な配信データの通信を回避することで、通信回線占有率、通信コストを低減し、通信効率を上げることができる。
【０１１０】
本発明のデータ配信端末は、前記記憶部に保持される端末使用者を特定するユーザー情報及び前記配信サービス機関に予め登録されている配信サービス機関、配信サービス内容を特定する配信サービス利用情報を含む識別情報を、前記配信データとともに外部装置に送信する送信部を備えることにより、外部装置で識別情報に基づいた配信データの保護が可能となる。
【０１１１】
本発明のデータ配信端末は、前記記憶部に保持される前記配信サービス機関が提供する配信サービスの設定内容を含む配信サービス設定情報を、前記配信データの受信中に前記配信サービス機関に送信する送信部を備えることにより、配信サービス設定情報の送信に要する通信コストを抑えることができる。
【０１１２】
本発明のデータ配信端末は、前記配信サービス機関の広告を含む広告情報を前記配信データの受信開始から前記記憶媒体への記憶終了まで表示する表示部を備えることにより、ユーザーは配信データの受信中に配信サービス機関からの広告を知ることができる。
【０１１３】
本発明のデータ配信端末は、前記配信データの自動受信を行うための配信サービス予約情報に設定されている受信日時を計時する計時部を備えることにより、ユーザーが端末を操作できない場合でも予約した日時に配信データを取得することができる。
【０１１４】
本発明のデータ配信端末は、前記配信データの自動受信を行うための遠隔指示情報に設定されている認証番号と外部装置から受信した認証番号との一致比較を検知する検知部を備えることにより、ユーザーが端末を操作できない場合でも、他の外部装置からの遠隔操作により配信データを取得することができる。
【０１１５】
本発明のデータ配信端末は、前記記憶媒体に記憶した不要な配信データを削除する削除工程と、不要な配信データの削除により得られた空き領域を優先して新たな配信データを記憶する記憶工程と、を実行するデータ管理部を備えることにより、記憶媒体の記憶領域を効率良く使用することができる。
【０１１６】
本発明のデータ配信端末は、前記削除工程は、実行後に不要となる配信データの削除命令及び該配信データが記憶される前記記憶媒体の記憶領域が付加された配信データを実行することにより、配信データの実行終了後に記憶媒体から配信データが削除されるため、記憶媒体の記憶領域を効率良く使用することができる。
【０１１７】
本発明のデータ配信端末は、前記削除工程は、実行後に不要となる配信データの削除命令及び該配信データが記憶される前記記憶媒体の記憶領域が付加された配信データを要求に応じて取得し実行することにより、記憶媒体の空き容量に、実行終了後に削除する配信データの容量を加えた容量の配信データを記憶することができる。
【０１１８】
本発明のデータ配信端末は、前記配信データ処理部は、前記記憶部に記憶された処理プログラムにより前記記憶媒体に記憶された前記配信データを実行できない場合に、前記配信データを処理可能な処理プログラムを前記配信サービス機関から取得し実行することにより、配信サービス機関が提供する様々な配信データをデータ配信端末で再生、実行することができる。
【０１１９】
本発明のデータ配信端末は、振動部と、前記配信データの再生レベルに応じて前記振動部の振動を制御する振動制御部と、を備えることにより、ユーザーがデータ配信端末を介して音楽等の臨場感を体感することができる。
【０１２０】
本発明のデータ配信システムは、配信サービス機関と複数のデータ配信端末とを通信回線を介して接続し、前記データ配信端末からの要求に応じて対応するデータ配信端末に配信データ及び／又は該配信データを処理する処理プログラムを配信するデータ配信システムであって、前記配信サービス機関は、請求項３記載のデータ配信端末の記憶部が保持する識別情報を管理する情報管理部と、前記データ配信端末からの要求を前記情報管理部が管理する識別情報を参照して解析する情報解析部と、を備えることにより、ユーザーのデータ配信端末が備える機能に適した配信サービスを提供することができる。
【図面の簡単な説明】
【図１】本発明の実施の形態１におけるデータ配信端末の基本的構成を示すブロック図である。
【図２】本発明の実施の形態２におけるデータ配信端末の記憶媒体の着脱部を示す図である。
【図３】本発明の実施の形態３におけるデータ配信端末の識別情報送信部を示すブロック図である。
【図４】本発明の実施の形態４におけるデータ配信端末の識別情報送信部を示すブロック図である。
【図５】本発明の実施の形態５におけるデータ配信端末の配信サービス設定情報部を示すブロック図である。
【図６】本発明の実施の形態６におけるデータ配信端末の配信サービス広告情報部を示すブロック図である。
【図７】本発明の実施の形態７におけるデータ配信端末の配信サービス予約情報部を示すブロック図である。
【図８】本発明の実施の形態８におけるデータ配信端末の遠隔指示情報部を示すブロック図である。
【図９】本発明の実施の形態９におけるデータ配信端末の記憶媒体に対するデータ管理処理を説明するフローチャートである。
【図１０】本発明の実施の形態１０におけるデータ配信端末の不要な記憶媒体のデータを自動削除するデータ管理処理を説明するフローチャートである。
【図１１】本発明の実施の形態１１におけるデータ配信端末の不要な記憶媒体のデータを自動削除するデータ管理処理を説明するフローチャートである。
【図１２】本発明の実施の形態１２におけるデータ配信端末の実行データの実行開始までの処理を説明するフローチャートである。
【図１３】本発明の実施の形態１３におけるデータ配信端末の再生部の基本的構成を示すブロック図である。
【図１４】本発明のデータ配信システムの基本的構成を示すブロック図である。
【図１５】従来の音楽配信端末の基本構成を示すブロック図である。
【図１６】従来の音楽配信システムの基本的構成を示すブロック図である。
【符号の説明】
１０１，３０１，４０１，５０１，６０１，７０１，８０１　　アンテナ
１０２，３０２，４０２，５０２，６０２，７０２，８０２　　無線部
１０３，３０３，４０３，５０３，６０３，７０３，８０３，１３０３　キー入力部
１０４，６０４　　表示部
１０５，３０５，４０５，５０５，６０５，７０５，８０５，１３０５　制御部
１０６，１３０６　振動部
１０７，３０７，４０７，５０７，６０７，７０７，８０７，１３０７　マイク
１０８，１３０８　スピーカー
１０９，１３０８　イヤホンマイクＩ／Ｆ
１１０，２１０，３１０，４１０，５１０，６１０，７１０，８１０，１３１０　配信データ処理部
１１１，２１１，３１１，４１１，６１１，７１１，８１１，１３１１　記憶媒体
１１２，３１１，６１２，１３１２　配信データ実行部
１１３，３１１，４１２，５１２，６１２，７１２，８１２，１３１２　記憶部
２１４　　スイッチ機能付きの開閉扉
２１５　　筐体
３１６　　処理プログラム
３１７　　識別情報
３１８，４１８　　識別情報
３１９　　ハードウェア情報
３２０　　ソフトウェア情報
３２１　　メモリ情報
４２２　　配信サービス利用情報
５２３　　配信サービス設定情報
６２４　　配信サービス広告情報
７２５　　配信サービス予約情報
８２６　　遠隔指示情報
１３２７　ディジタル再生出力部
１３２８　Ｄ／Ａ部
１３２９　振動制御部
１４０１　通信回線網
１４０２　公衆基地局
１４０３　データ配信端末
１４０４　外部通信機器
１４０５　配信サービス機関
１４０６　情報管理部
１４０７　情報解析部
１４０８　データベース
１４０９　配信データ
１４１０　処理プログラム
１５０１　従来の音楽配信端末のアンテナ
１５０２　従来の音楽配信端末の無線部
１５０３　従来の音楽配信端末のキー入力部
１５０４　従来の音楽配信端末の表示部
１５０５　従来の音楽配信端末の電話機制御部
１５０６　従来の音楽配信端末の振動部
１５０７　従来の音楽配信端末のマイク
１５０８　従来の音楽配信端末のスピーカー
１５０９　従来の音楽配信端末のイヤホンマイクＩ／Ｆ
１６０１　従来の音楽配信システムの通信回線網
１６０２　従来の音楽配信システムの公衆基地局
１６０３　従来の音楽配信システムのデータ配信端末
１６０４　従来の音楽配信システムの外部通信機器
１６０５　従来の音楽配信システムの配信サービス機関
１６０６　従来の音楽配信システムのデータベース
【図１】
2004021714.tif 000003
【図２】
2004021714.tif 000004
【図３】
2004021714.tif 000005
【図４】
2004021714.tif 000006
【図５】
2004021714.tif 000007
【図６】
2004021714.tif 000008
【図７】
2004021714.tif 000009
【図８】
2004021714.tif 000010
【図９】
2004021714.tif 000011
【図１０】
2004021714.tif 000012
【図１１】
2004021714.tif 000013
【図１２】
2004021714.tif 000014
【図１３】
2004021714.tif 000015
【図１４】
2004021714.tif 000016
【図１５】
2004021714.tif 000017
【図１６】
2004021714.tif 000018